(57)【要約】【課題】  複数の表示形態において入力点データを共有させ、入力点データにおけるプロセス量を複数の表示形態にしたがって表示させる。【解決装置】  プラント監視装置１は、複数の表示形態を表示することができる表示装置５と、現場センサ１４が測定したプロセス量２０を受信し、複数の表示形態のいずれかにおいて表示する所定の時刻においてプロセス量２０を入力点データ９として蓄積するデータ蓄積装置２と、複数の表示形態の各々の表示に必要な入力点データ９におけるプロセス量２０をデータ蓄積装置２から表示用データとして取得し、この表示用データを表示装置５に送信する表示データ取得部４とを備え、表示装置５は、表示データ取得部４から受信した表示用データを用いて、複数の表示形態を表示する。【選択図】  図１
2012098836.tif 000002
【特許請求の範囲】
【請求項１】
複数の表示形態を表示することができる表示装置と、
現場センサが測定したプロセス量を受信し、複数の前記表示形態のいずれかにおいて表示する所定の時刻における前記プロセス量を入力点データとして蓄積するデータ蓄積装置と、
複数の前記表示形態の各々の表示に必要な前記入力点データにおける前記プロセス量を前記データ蓄積装置から表示用データとして取得し、この表示用データを前記表示装置に送信する表示データ取得部とを備え、
前記表示装置は、前記表示データ取得部から受信した前記表示用データを用いて、複数の前記表示形態を表示することを特徴とするプラント監視装置。
【請求項２】
複数の前記表示形態は、前記入力点データにおける共通した前記プロセス量を表示させることができることを特徴とする請求項１に記載のプラント監視装置。
【請求項３】
複数の前記表示形態のいずれかにおいて表示する表示要素を記憶する表示要素データベースをさらに備え、
前記表示データ取得部は、さらに複数の前記表示形態の各々の表示に必要な前記表示要素を表示用データとして取得し、
前記プラント表示装置は、さらに前記表示データ取得装置から受信した前記表示要素を表示用データとして用いて複数の前記表示形態を表示することを特徴とする請求項１または請求項２に記載のプラント監視装置。
【請求項４】
現場センサから前記プロセス量を受信し、前記プロセス量と所定の警報制限値と比較して前記プロセス量の異常判定を行う異常判定装置をさらに備え、
前記データ蓄積装置は、前記異常判定装置の異常判定結果であるプロセス量判定結果を記憶し、
前記表示データ取得装置は、さらに複数の前記表示形態の各々の表示に必要な前記プロセス量判定結果を前記データ蓄積装置から表示用データとして取得し、
前記プラント表示装置は、さらに前記プロセス量判定結果を表示用データとして用いて複数の前記表示形態を表示することを特徴とする請求項１乃至請求項３の何れか一項記載のプラント監視装置。
【請求項５】
現場センサから前記プロセス量を含む信号を受信し、この信号の入力状態の異常判定を行う異常判定装置をさらに備え、
前記データ蓄積装置は、さらに前記異常判定装置の異常判定結果である入力状態判定結果を記憶し、
前記表示データ取得装置は、さらに複数の前記表示形態の各々の表示に必要な前記入力状態判定結果を前記データ蓄積装置から表示用データとして取得し、
前記プラント表示装置は、さらに前記入力状態判定結果を表示用データとして用いて複数の前記表示形態を表示することを特徴とする請求項１乃至請求項４の何れか一項記載のプラント監視装置。
【請求項６】
複数の前記表示形態の各々について表示すべき前記入力点データにおける前記プロセス量の範囲を指定する表示範囲指定部をさらに備え、
この表示範囲指定部は、複数の前記表示形態の各々について表示すべき前記入力点データにおける前記プロセス量の範囲を指定する表示形態指定信号を前記表示データ取得部に送信し、
前記表示データ取得部は、前記表示形態指定信号によって指定された範囲の前記プロセス量を前記表示用データとして取得することを特徴とする請求項１乃至請求項５の何れか一項記載のプラント監視装置。
【請求項７】
複数の前記表示形態のうち表示すべき前記表示形態を指定する表示形態指定部をさらに備え、
この表示形態指定部は、表示すべき前記表示形態を指定する表示形態指定信号を前記表示データ取得部に送信し、前記表示データ取得部は、前記表示形態指定信号によって指定された前記表示形態について前記表示用データを取得し、前記表示装置は、前記表示データ取得部から受信した表示用データを用いて、前記表示形態指定部によって指定された前記表示形態を表示することを特徴とする請求項１乃至請求項６の何れか一項記載のプラント監視装置。
【請求項８】
外部記憶装置をさらに備え、
前記データ蓄積装置において所定の蓄積容量を超えたデータを前記外部記憶装置へ外部データとして移動させ、前記表示データ取得部は前記外部データを前記表示用データとして取得し、この表示用データを前記表示装置に送信することを特徴とする請求項１乃至請求項７の何れか一項記載のプラント監視装置。
【請求項９】
複数の前記表示形態は、
所定期間内の前記入力点データにおける前記プロセス量を連続的にグラフ表示するトレンド表示と、
所定の時刻における前記入力点データにおける前記プロセス量および前記異常判定結果を複数の前記現場センサについて一覧表示するスナップショット表示と、
所定の日数の各日における所定の時刻の前記入力点データにおける前記プロセス量２０を前記現場センサごとに時系列に表示するヒストリカル表示のうちのいずれか複数であることを特徴とする請求項１乃至請求項８の何れか一項記載のプラント監視装置。
【請求項１０】
現場センサが測定したプロセス量を受信し、複数の前記表示形態のいずれかにおいて表示する所定の時刻において前記プロセス量を入力点データとしてデータ蓄積装置に蓄積させる工程と、
複数の前記表示形態の各々の表示に必要な前記入力点データにおける前記プロセス量を前記データ蓄積装置から表示用データとして取得し、この表示用データを前記表示装置に送信する工程と、
前記表示装置に、前記表示データ取得部から受信した前記表示用データを用いて、複数の前記表示形態を表示させる工程とを備えることを特徴とするプラント監視装置の表示方法。 
【発明の詳細な説明】
【技術分野】
【０００１】
本発明は、現場センサから受信したプロセス量を表示装置に表示するプラント監視装置およびその表示方法に関する。
【背景技術】
【０００２】
原子力発電所をはじめとする大規模なプラントにおけるプラント監視装置は、プラント内の各所に温度計や圧力計などの現場センサが設けられ、これらの現場センサが測定した温度や圧力などの各種プロセス量を定期的に取得し、入力点データとしてデータ蓄積装置に保存する。さらに、プラント監視装置は、データ蓄積装置から表示すべき表示形態にしたがって入力点データにおけるプロセス量を取得し、これを表示装置に表示させる。このとき、入力点データとともにセンサ名称やプロセス量の単位、警報制限値などからなる表示要素が表示装置に表示される。
【０００３】
ここで、プラント監視装置における表示形態には、表示の目的や用途に応じて様々な表示形態が存在する。例えば、所定期間内の入力点データを連続的にグラフに表示することによって、現場センサのプロセス量の傾向を示すトレンド表示を行う技術が開発されている（例えば、特許文献１参照。）。
【０００４】
さらに、所定の日数における各日の所定の時刻の現場センサのプロセス量を時系列データとして表示し、長期的なプロセス量の動向を示すヒストリカル表示を行う技術が開発されている（例えば、特許文献２参照。）。
【先行技術文献】
【特許文献】
【０００５】
【特許文献１】特開２００３−５０６２２号公報
【特許文献２】特開平５−５２６０６号公報
【特許文献３】特開平１１−１２６１０８号公報
【発明の概要】
【発明が解決しようとする課題】
【０００６】
しかしながら、上述した特許文献１および特許文献２に記載の技術をはじめとする表示形態は、表示に用いる入力点データにおけるプロセス量および表示要素がそれぞれ異なる。したがって、従来は複数の表示形態をプラント監視装置において表示させるためには、表示形態に用いる入力点データおよび表示要素を複数の表示形態について別々の記憶装置に記憶させておく必要があり、データ量の増大を招いていた。
【０００７】
また、特許文献３に記載の技術は、入力点データを任意のグラフ表示に用いることができるように加工して保存し、１つの入力点データから複数の種類のグラフを表示させているが、複数の種類のグラフにおいて表示させる入力点データにおけるプロセス量は全て同一であるため、複数の表示形態が表示すべきプロセス量が相互に異なるときなどは、この技術を適用することはできない。
【０００８】
そこで本発明は、複数の表示形態において入力点データを共有させ、入力点データにおけるプロセス量を複数の表示形態に従って表示させることができるプラント監視装置を提供することを目的とする。
【課題を解決するための手段】
【０００９】
上記目的を達成するために、本発明のプラント監視装置は、複数の表示形態を表示することができる表示装置と、現場センサが測定したプロセス量を受信し、複数の表示形態のいずれかにおいて表示する所定の時刻においてプロセス量を入力点データとして蓄積するデータ蓄積装置と、複数の表示形態の各々の表示に必要な入力点データにおけるプロセス量をデータ蓄積装置から表示用データとして取得し、この表示用データを表示装置に送信する表示データ取得部とを備え、表示装置は、表示データ取得部から受信した表示用データを用いて、複数の表示形態を表示することを特徴とする。
【００１０】
さらに、上記目的を達成するために、本発明のプラント監視装置の表示方法は、現場センサが測定したプロセス量を受信し、複数の表示形態のいずれかにおいて表示する所定の時刻においてプロセス量を入力点データとしてデータ蓄積装置に蓄積させる工程と、複数の表示形態の各々の表示に必要な入力点データにおけるプロセス量をデータ蓄積装置から表示用データとして取得し、この表示用データを表示装置に送信する工程と、表示装置に、表示データ取得部から受信した表示用データを用いて、複数の表示形態を表示させる工程とを備えることを特徴とする。
【発明の効果】
【００１１】
本発明によれば、複数の表示形態において入力点データを共有させ、入力点データにおけるプロセス量を複数の表示形態に従って表示させることができる。
【図面の簡単な説明】
【００１２】
【図１】本発明の実施形態に係るプラント監視装置の概略ブロック図。
【図２】本発明の実施形態に係るプラント監視装置における表示装置のトレンド表示の例を示す概略図。
【図３】本発明の実施形態に係るプラント監視装置における表示装置のスナップショット表示の例を示す概略図。
【図４】本発明の実施形態に係るプラント監視装置における表示装置のヒストリカル表示の例を示す概略図。
【図５】本発明の実施形態に係るプラント監視装置のデータ蓄積装置が蓄積する入力点データの例を示す概略図。
【図６】本発明の実施形態に係るプラント監視装置のデータ蓄積装置が蓄積する異常判定結果の例を示す概略図。
【図７】本発明の実施形態に係るプラント監視装置の表示要素データベースが記憶する表示要素の例を示す概略図。
【図８】本発明の実施形態に係るプラント監視装置の第１の変形例を示す概略ブロック図。
【図９】本発明の実施形態に係るプラント監視装置の第２の変形例を示す概略ブロック図。
【発明を実施するための形態】
【００１３】
以下、本発明の実施形態を説明する。
【００１４】
（構成）
以下、本発明の実施形態に係るプラント監視装置について図１乃至図９を参照して説明する。図１は、本発明の実施形態に係るプラント監視装置の概略ブロック図である。プラント監視装置１は、データ蓄積装置２と、表示要素データベース３と、表示用データ取得部４と、表示装置５と、表示形態指定部６と、異常判定装置７とから構成される。また、データ蓄積装置２は、内部にタイマー８を備える構成とする。さらに、表示用データ取得部４は、内部にトレンドデータ取得装置１１と、スナップショットデータ取得装置１２と、ヒストリカルデータ取得装置１３を有する構成とする。さらに、プラント監視装置１には、現場センサ１４および警報装置１５が接続される。
【００１５】
データ蓄積装置２は、内部にプロセス量２０を入力点データ９として蓄積し、さらに異常判定結果１０を蓄積する装置である。ここで、異常判定結果１０は、さらにプロセス量判定結果２５と入力状態判定結果２６とから構成される。
【００１６】
表示要素データベース３は、表示要素１６を記憶する装置である。また、トレンドデータ取得装置１１およびスナップショットデータ取得装置１２ならびにヒストリカルデータ取得装置１３は、それぞれの表示形態の表示に必要な表示用データであるトレンドデータ２１およびスナップショットデータ２２ならびにヒストリカルデータ２３を取得する装置である。
【００１７】
表示装置５は、図２に示すトレンドデータ表示３１および図３に示すスナップショット表示３２ならびに図４に示すヒストリカル表示３３からなる３つの表示形態を表示させることができる液晶ディスプレイやプロジェクタなどからなる装置である。また、表示形態指定部６は、トレンドデータ表示３１およびスナップショット表示３２ならびにヒストリカル表示３３から表示すべき表示形態を指定する装置である。
【００１８】
現場センサ１４は、プラント内の各所に設けられる温度センサや圧力センサを含む各種センサ機器であり、現場センサ１４は、センサ機器の働きに応じて温度や圧力を測定し、プロセス量２０としてプラント監視装置１へ送信する。
【００１９】
以下、プラント監視装置１の接続関係について説明する。データ蓄積装置２は、現場センサ１４において測定したプロセス量２０を受信することができるように、データ蓄積装置２と現場センサ１４は接続される。また、タイマー８は、データ蓄積装置２がプロセス量２０を受信する過程において、入力点データ蓄積要求１７をデータ蓄積装置２に送信するように、タイマー８とデータ蓄積装置２は接続される。
【００２０】
さらに、異常判定装置７は、現場センサ１４からプロセス量２０を受信し、さらに異常判定結果１０をデータ蓄積装置２に送信できるように、異常判定装置７と現場センサ１４およびデータ蓄積装置２はそれぞれ接続される。さらに、異常判定装置７は、警報装置１５に警報要求信号４０を送信し、異常警報を発生させることができるように、異常判定装置７と警報装置１５は接続される。また、タイマー８は、データ蓄積装置２が異常判定結果１０を受信する過程において、異常判定結果蓄積要求１８をデータ蓄積装置２に送信するように、タイマー８とデータ蓄積装置２は接続される。
【００２１】
データ蓄積装置２は、内部に蓄積した入力点データ９および異常判定結果１０を表示用データ取得部４内のトレンドデータ取得装置１１およびスナップショットデータ取得装置１２ならびにヒストリカルデータ取得装置１３へ送信できるように、データ蓄積装置２とトレンドデータ取得装置１１およびスナップショットデータ取得装置１２ならびにヒストリカルデータ取得装置１３はそれぞれ接続される。
【００２２】
また、表示要素データベース３は、表示要素１６を表示用データ取得部４内のトレンドデータ取得装置１１およびスナップショットデータ取得装置１２ならびにヒストリカルデータ取得装置１３へ送信できるように、表示要素データベース３とトレンドデータ取得装置１１およびスナップショットデータ取得装置１２ならびにヒストリカルデータ取得装置１３はそれぞれ接続される。
【００２３】
さらに、トレンドデータ取得装置１１およびスナップショットデータ取得装置１２ならびにヒストリカルデータ取得装置１３は、それぞれトレンドデータ２１およびスナップショットデータ２２ならびにヒストリカルデータ２３を表示装置５へ送信できるように、トレンドデータ取得装置１１およびスナップショットデータ取得装置１２ならびにヒストリカルデータ取得装置１３と表示装置５へはそれぞれ接続される。また、表示形態指定部６は、表示形態指定信号２４を表示用データ取得部４へ送信できるように、表示形態指定部６と表示用データ取得部４は接続される。
【００２４】
（作用）
以下、本発明の実施形態の作用について説明する。例として、現場センサ１４は、温度センサＡ、Ｂ、Ｃおよび圧力センサＤ、Ｅから構成され、現在の時刻を本日２４時として説明する。まず、表示形態指定部６においてトレンドデータ表示３１およびスナップショット表示３２ならびにヒストリカル表示３３の３つの表示形態のうちから表示すべき表示形態を指定する。ここで、表示形態を指定する方法は、運転計画に基づいて運転員が手動で指定をしてもよいし、所定の時刻に所定の表示形態を表示させるように自動で指定させてもよい。ここで、表示形態指定部６は、３つの表示形態のうち複数の表示形態を指定することもできるものとし、このとき、表示装置５は、複数の表示形態を同時に、または所定の時間幅をもって順番に表示させる。
【００２５】
表示形態指定部６は、３つの表示形態のうちから指定した表示形態を示す表示形態指定信号２４を表示用データ取得部４に送信する。表示用データ取得部４は、表示形態指定信号２４を受信し、指定された表示形態において表示に必要な表示用データを各表示用データ取得装置に取得させる。具体的には、トレンドデータ取得装置１１によってトレンド表示３１に必要な表示用データとしてトレンドデータ２１を取得させ、スナップショットデータ取得装置１２によってスナップショット表示３２に必要な表示用データとしてスナップショットデータ２２を取得させ、ヒストリカルデータ取得装置１３によってヒストリカル表示３３に必要な表示用データとしてヒストリカルデータ２３を取得させる。
【００２６】
ここで、各表示形態の表示用データは、データ蓄積装置２に入力点データ９として蓄積されたプロセス量２０および異常判定結果１０ならびに表示要素データベース３に記憶された表示要素１６から構成される。さらに、異常判定結果１０は、プロセス量判定結果２５と入力状態判定結果２６とから構成される。
【００２７】
プラント監視装置１は、３つ表示形態のいずれかを表示させるために十分なプロセス量２０を１つの入力点データ９として蓄積し、１つの入力点データ９におけるプロセス量２０を各表示形態において取得し表示させることによって、各表示形態の表示に必要な入力点データ９を共有させる。さらに、異常判定結果１０および表示要素１６についても、各表示形態のいずれかにおいて表示するものを蓄積または記憶することによって、各表示形態の表示に必要な異常判定結果１０および表示要素１６を共有させる。
【００２８】
プロセス量２０の入力点データ９としての蓄積方法、異常判定結果１０の蓄積方法、ならびに表示要素１６の記憶の方法については後述するものとし、まず、各表示形態の表示用データが必要とする入力点データ９におけるプロセス量２０および異常判定結果１０ならびに表示要素１６を説明するために、３つの表示形態について説明する。
【００２９】
図２は、本発明の実施形態に係るプラント監視装置における表示装置のトレンド表示の例を示す概略図である。トレンド表示３１は、所定期間内の入力点データ９におけるプロセス量２０を連続的にグラフ表示することで、プロセス量２０の傾向を判断するのに適した表示方法である。図２に示すトレンド表示３１は、トレンドデータ２１として、データ蓄積装置２において蓄積された入力点データ９のうち、温度センサＡ、Ｂ、Ｃについて３時間毎（３、６、９、１２、１５、１８、２１、２４時）の本日２４時から２日前３時までの３日分のプロセス量２０をを表示する。さらに、表示要素１６であるセンサ名称、プロセス量２０の単位、警報制限値ならびに適正値を表示する。
【００３０】
図３は、本発明の実施形態に係るプラント監視装置における表示装置のスナップショット表示の例を示す概略図である。スナップショット表示３２は、現在の全ての現場センサ１４から受信した入力点データ９におけるプロセス量２０および異常判定結果１０を一覧表示することによって、現在のプラントの状態を確認するのに適した表示方法である。図３に示すスナップショット表示３２は、スナップショットデータ２２として、データ蓄積装置２において蓄積された入力点データ９のうち、温度センサＡ、Ｂ、Ｃおよび圧力センサＤ、Ｅについて本日２４時のプロセス量２０を表示する。さらに、温度センサＡ、Ｂ、Ｃおよび圧力センサＤ、Ｅについてプロセス量判定結果２５および入力状態判定結果２６を表示する。さらに、表示要素１６であるセンサ名称、センサ取付位置、プロセス量２０の単位を表示する。
【００３１】
図４は、本発明の実施形態に係るプラント監視装置における表示装置のヒストリカル表示の例を示す概略図である。ヒストリカル表示３３は、所定の日数の各日における所定の時刻の入力点データ９におけるプロセス量２０を現場センサ１４ごとに時系列に表示することによって、現場センサ１４ごとの長期的な傾向を判断するのに適した表示方法である。図４に示すヒストリカル表示３３は、ヒストリカルデータ２２として、データ蓄積装置２において蓄積された入力点データ９のうち、圧力センサＤ、Ｅについて各日１２時における本日から３日前までの４日分のプロセス量２０をを表示させる。さらに、異常判定結果１０である圧力センサＤ、Ｅについて後述するプロセス量判定結果２５を表示させる。さらに、表示要素１６であるセンサ名称、プロセス量２０の単位、適正値を表示させる。
【００３２】
以下、上述した各表示形態の表示用データであるプロセス量２０を入力点データ９としてデータ蓄積装置２に蓄積し各データ取得装置に取得させる方法、異常判定結果１０をデータ蓄積装置２に蓄積し各データ取得装置に取得させる方法、ならびに表示要素データベース３に記憶された表示要素１６を各データ取得装置に取得させる方法について順に説明する。
【００３３】
まず、現場センサ１４から受信したプロセス量２０を入力点データ９としてデータ蓄積装置２に蓄積し各データ取得装置に取得させる方法について説明する。図５は、本発明の実施形態に係るプラント監視装置のデータ蓄積装置が蓄積する入力点データの例を示す概略図である。データ蓄積装置２は、プロセス量２０を、列を現場センサ１４の種類とし、行をプロセス量２０を受信し蓄積した時刻としてマトリクス状に入力点データ９として蓄積する。
【００３４】
ここで、図２よりトレンド表示３１は、温度センサＡ、Ｂ、Ｃについて３時間毎の本日２４時から２日前３時までの３日分のプロセス量２０を表示し、また、図３よりスナップショット表示３２は、温度センサＡ、Ｂ、Ｃおよび圧力センサＤ、Ｅについて本日２４時におけるプロセス量２０をを表示し、さらに、図４よりヒストリカル表示３３は、圧力センサＤ、Ｅについて各日１２時における本日から３日前までの４日分のプロセス量２０を表示している。
【００３５】
したがって、３つの表示形態のいずれかを表示させるために十分な入力点データ９は、センサＡ、Ｂ、Ｃおよび圧力センサＤ、Ｅについて３時間毎の本日２４時から３日前までの４日分のプロセス量２０を蓄積したものである。
【００３６】
タイマー８は、３時間毎にセンサＡ、Ｂ、Ｃおよび圧力センサＤ、Ｅについてプロセス量２０を受信し蓄積させる入力点データ蓄積要求１７をデータ蓄積装置２に送信する。データ蓄積装置２は、タイマー８から入力点データ蓄積要求１７を受信し、入力点データ蓄積要求１７を受信した時刻において、センサＡ、Ｂ、Ｃおよび圧力センサＤ、Ｅからプロセス量２０を受信し、入力点データ９として蓄積する。
【００３７】
ここで、現場センサ１４から受信したプロセス量２０がビットデータである場合は、データ蓄積装置２にビットデータの数値変換機能を設け、プロセス量２０を数値化して入力点データ９として保存するものとする。さらに、データ蓄積装置２は、現在（本日２４時）から３日前３時までの４日分以前に受信し蓄積したプロセス量２０は順次消去するものとする。
【００３８】
ここで、タイマー８が送信する入力点データ蓄積要求１７を全ての現場センサ１４について等時間間隔で送信することによって、タイマー８における入力点データ蓄積要求１７の送信およびデータ蓄積装置２におけるプロセス量２０の蓄積を行うシーケンス処理を簡易にすることができる。さらに、各表示形態において表示に必要な入力点データ９におけるプロセス量２０を共通化させるように、あらかじめ各表示形態が表示するプロセス量２０の時刻を定めておくことによって、データ量を少なくすることができる。
【００３９】
表示用データ取得部４は、表示形態指定信号２４によって指定された表示形態の表示に必要な入力点データ９におけるプロセス量２０を指定された表示形態に係る表示用データ取得装置に各表示形態の表示用データとしてデータ蓄積装置２から取得させ、表示装置５に送信する。例えば、表示形態指定信号２４によってトレンドデータ表示３１が指定されたときは、トレンドデータ取得装置１１に入力点データ９のうち温度センサＡ、Ｂ、Ｃについて本日２４時から２日前３時までの３日分の３時間毎のプロセス量２０を表示用データであるトレンドデータ２１として取得させ、表示装置５に送信させる。
【００４０】
次に、異常判定結果１０をデータ蓄積装置２に蓄積し各データ取得装置に取得させる方法について説明する。異常判定装置７は、プロセス量２０の異常判定および入力状態の異常判定を行う。まず、プロセス量２０の異常判定の方法について説明する。異常判定装置７は、現場センサ１４からプロセス量２０を受信し、あらかじめ記憶しておいた警報制限値と比較を行うことによって、プロセス量２０の異常判定を行う。異常判定装置７は、プロセス量２０の異常を判定した場合、警報装置１５に警報要求信号４０を送信して異常警報を発生させるとともに、プロセス量２０の異常判定の結果であるプロセス量判定結果２５をデータ蓄積装置２へ送信する。
【００４１】
次に、入力状態の異常判定の方法について説明する。異常判定装置７は、現場センサ１４から受信したプロセス量２０を含む信号の状態によって、信号の送信経路における断線や接触不良の判定である入力状態の異常判定を行う。例えば、現場センサ１４から受信する信号が途切れたことを検知することによって信号経路の断線を判定し、さらに現場センサ１４がプロセス量２０に加えて入力状態の良否を示すパリティ信号を送信するときは、このパリティ信号によって入力状態を判定する。異常判定装置７は、信号の入力状態の異常を判定した場合、警報装置１５に警報要求信号４０を送信して異常警報を発生させるとともに、プロセス量２０の入力状態の異常判定の結果である入力状態判定結果２６をデータ蓄積装置２へ送信する。
【００４２】
図６は、本発明の実施形態に係るプラント監視装置のデータ蓄積装置が蓄積する異常判定結果の例を示す概略図である。データ蓄積装置２は、現場センサ１４から受信したプロセス量判定結果２５および入力状態判定結果２６からなる異常判定結果１０を、それぞれ列を現場センサ１４の種類とし、行をプロセス量判定結果２５および入力状態判定結果２６を受信した時刻としてマトリクス状に蓄積する。
【００４３】
ここで、図２よりトレンド表示３１は、異常判定結果１０の表示を行わず、図３よりスナップショット表示３２は、温度センサＡ、Ｂ、Ｃおよび圧力センサＤ、Ｅについて本日２４時におけるプロセス量判定結果２５および入力状態判定結果２６を表示する。さらに、図４よりヒストリカル表示３３は、圧力センサＤ、Ｅについて各日１２時における本日から３日前までの４日分のプロセス量判定結果２５を表示する。
【００４４】
したがって、３つの表示形態のいずれかを表示させるのに十分な異常判定結果１０は、センサＡ、Ｂ、Ｃおよび圧力センサＤ、Ｅについて本日２４時から３日前までの各日１２時のプロセス量判定結果２５および入力状態判定結果２６を蓄積したものである。
【００４５】
タイマー８は、各日１２時にセンサＡ、Ｂ、Ｃおよび圧力センサＤ、Ｅについてプロセス量判定結果２５および入力状態判定結果２６を受信し蓄積させる異常判定結果蓄積要求１８をデータ蓄積装置２に送信する。データ蓄積装置２は、タイマー８から異常判定結果蓄積要求１８を受信し、異常判定結果蓄積要求１８を受信した時刻において異常判定結果１０を蓄積する。さらに、データ蓄積装置２は、現在（本日２４時）から３日前までの４日分以前のプロセス量判定結果２５および入力状態判定結果２６を消去するものとする。
【００４６】
表示用データ取得部４は、表示形態指定信号２４によって指定された表示形態の表示に必要な異常判定結果１０を指定された表示形態の表示用データ取得装置に表示用データとしてデータ蓄積装置２から取得させ、表示装置５に送信させる。例えば、表示形態指定信号２４によってスナップショットデータ表示３２が指定されたときは、スナップショットデータ取得装置１２に温度センサＡ、Ｂ、Ｃおよび圧力センサＤ、Ｅについて本日２４時におけるプロセス量判定結果２５および入力状態判定結果２６を表示用データであるトレンドデータ２１として取得させ、表示装置５に送信させる。
【００４７】
最後に、表示要素データベース３に記憶された表示要素１６を各データ取得装置に取得させる方法について説明する。まず、表示要素データベース３に記憶された表示要素１６について説明する。図７は、本発明の実施形態に係るプラント監視装置の表示要素データベースが記憶する表示要素の例を示す概略図である。
【００４８】
ここで、図２よりトレンド表示３１は、温度センサＡ、Ｂ、Ｃについてセンサ名称、入力点データ９の単位、警報制限値ならびに適正値を表示する。また、図３よりスナップショット表示３２は、温度センサＡ、Ｂ、Ｃおよび圧力センサＤ、Ｅについてセンサ名称、センサ取付位置ならびに入力点データ９の単位を表示する。さらに、図４よりヒストリカル表示３３は、圧力センサＤ、Ｅについてセンサ名称、センサ取付位置、入力点データ９の単位ならびに適正値を表示する。
【００４９】
したがって、３つの表示形態のいずれかを表示させるのに十分な表示要素１６は、センサＡ、Ｂ、Ｃおよび圧力センサＤ、Ｅについてのセンサ名称、センサ取付位置、入力点データ９の単位、警報制限値ならびに適正値である。表示要素データベース３は、上述した表示要素１６を内部に記憶する。
【００５０】
表示用データ取得部４は、表示形態指定信号２４によって指定された表示形態の表示に必要な表示要素１６を指定された表示形態の表示用データ取得装置に表示用データとして表示要素データベース３から取得させ、表示装置５に送信させる。例えば、表示形態指定信号２４によってヒストリカルデータ表示３３が指定されたときは、ヒストリカルデータ取得装置１３に圧力センサＤ、Ｅについてセンサ名称、センサ取付位置、入力点データ９の単位ならびに適正値を表示用データであるトレンドデータ２１として取得させ、表示装置５に送信させる。
【００５１】
上述した方法によって、各データ取得装置は、表示に必要な入力点データ９および異常判定結果１０ならびに表示要素１６を表示用データとして取得し、表示装置５は、各データ取得装置から９と１１０と１６からなる表示用データを受信し、各表示形態を表示させる。ここで、表示装置５には、あらかじめ表示用データを表示させるためのフォーマットが記憶されているものとし、受信した表示用データをフォーマット内に当てはめることによって表示を行う。
【００５２】
（効果）
本発明の実施形態によれば、３つの表示形態のいずれかを表示させるために十分な入力点データ９および異常判定結果１０をデータ蓄積装置２に蓄積させ、さらに、３つの表示形態のいずれかを表示させるために十分な表示要素１６を表示要素データベース３に記憶させ、３つの表示形態の各表示用データ取得装置に表示用データとして入力点データ９および異常判定結果１０ならびに表示要素１６を取得させ、これを表示装置５によって表示することによって、プラント監視装置１は、３つの表示形態において入力点データ９を共有させ、入力点データ９におけるプロセス量２０を複数の表示形態にしたがって表示させることができる。
【００５３】
（実施形態の第１の変形例）
以下、本発明の実施形態の第１の変形例について説明する。図８は、本発明の実施形態に係るプラント監視装置の第１の変形例を示す概略ブロック図である。なお、図８において図１と同一部分には同一符号を付し、その構成の説明は省略する。図８においては、図１に示したプラント監視装置に、さらに表示範囲指定部３４を設ける構成とする。
【００５４】
この構成において、表示範囲指定部３４は、各表示形態において表示すべき入力点データ９におけるプロセス量２０の範囲を指定する表示範囲指定信号３５を表示用データ取得部４に送信する。ここで、各表示形態における入力点データ９におけるプロセス量２０の範囲を指定する方法は、運転員が手動で指定してもよいし、所定の時刻において所定の現場センサ１４のプロセス量２０を表示させるように自動で指定させてもよい。例えば、上述した実施形態において、トレンド表示３１は、温度センサＡ、Ｂ、Ｃについて３時間毎のプロセス量２０を本日２４時から２日前３時までの３日分を表示させていたが、圧力センサＤ、Ｅについて６時間毎のプロセス量２０を本日２４時から３日前１２時まで表示させるように指定することが可能である。このとき、指定できるプロセス量２０の範囲は、データ蓄積装置２に蓄積されているプロセス量２０の範囲内において可能であるので、予め表示範囲指定部３４において指定し得る広い範囲のプロセス量２０をデータ蓄積装置２に蓄積しておくことによって、柔軟なプロセス量２０の範囲の指定が可能となる。
【００５５】
表示用データ取得部４は、表示範囲指定信号３５を受信し、表示範囲指定信号３５によって指定された入力点データ９におけるプロセス量２０を表示用データとして各データ取得装置に取得させる。さらに、異常判定結果１０および表示要素１６についても同様にして、表示範囲指定部３４において表示範囲を指定し、これに応じて各データ取得装置に指定された範囲の異常判定結果１０および表示要素１６を表示用データとして取得させ、これを表示装置５において表示してもよい。
【００５６】
（効果）
本発明の実施形態の第１の変形例によれば、表示範囲指定部３４によって各表示形態における表示すべき入力点データ９におけるプロセス量２０の範囲を指定し、指定された範囲の入力点データ９におけるプロセス量２０を各表示用データ取得装置に取得させ、これを表示装置５に表示させることによって、３つの表示形態において表示する入力点データ９におけるプロセス量２０の範囲を変更することができる。
【００５７】
（実施形態の第２の変形例）
以下、本発明の実施形態の第２の変形例について説明する。図９は、本発明の実施形態に係るプラント監視装置の第２の変形例を示す概略ブロック図である。なお、図９において図１と同一部分には同一符号を付し、その構成の説明は省略する。図９においては、図１に示したプラント監視装置に、さらに外部記憶装置３６を配置する構成とする。
【００５８】
この構成において、データ蓄積装置２の蓄積容量が予め定めた許容範囲を超過したときは、データ蓄積装置２内の入力点データ９におけるプロセス量２０および異常判定結果１０を蓄積された時刻が古い順に外部データとして外部記憶装置３６に移動させるものとする。さらに、外部記憶装置３６に移動されたプロセス量２０および異常判定結果１０をも表示装置５に表示させることができるように表示範囲指定部３４によって表示範囲指定信号３５を送信させ、各表示用データ取得装置に表示用データとして外部記憶装置３６に移動された外部データのプロセス量２０および異常判定結果１０を取得させ、表示装置５に送信させる。
【００５９】
なお、外部記憶装置３６へ入力点データ９におけるプロセス量２０および異常判定結果１０の移動は、蓄積された時刻が古い順に移動させるだけでなく、各表示形態における表示に不要となったものを逐次移動させてもよいし、表示装置５において表示させる必要がないと運転員が判断したものなどを手動で指定することによって外部記憶装置３６へ移動させてもよい。
【００６０】
（効果）
本発明の実施形態の第２の変形例によれば、データ蓄積装置２の蓄積容量を超えた入力点データ９におけるプロセス量２０および異常判定結果１０を外部データとして保存し、かつ表示装置５に表示させることが可能となり、例えば、過去のプラントの挙動をシミュレーションするときなどに役立てることができる。
【００６１】
なお、本発明の実施形態は上述した実施形態に限られないことは言うまでもない。例えば、３つの表示形態が表示する入力点データ９におけるプロセス量２０、異常判定結果１０、表示要素１６は、プラントの種類、監視の目的によって適宜変更され得るものである。さらに、表示装置５は、入力点データ９におけるプロセス量２０をグラフにプロットして表示し、または数値として表示するだけでなく、監視の目的に応じて平均値や変動幅を入力点データ９におけるプロセス量２０を用いて演算して表示させてもよい。
【００６２】
また、上述した実施形態においては、３つの表示形態のいずれかを表示するために十分な入力点データ９および異常判定結果１０をデータ蓄積装置２に蓄積していたが、データ蓄積装置２に蓄積するデータ量を削減するために、トレンドデータ表示３１およびスナップショット表示３２ならびにヒストリカル表示３３のいずれかにおいて表示される入力点データ９におけるプロセス量２０および異常判定結果１０のみを必要最小限蓄積するように、タイマー８に入力点データ蓄積要求１７および異常判定結果蓄積要求１８を送信させてもよい。
【００６３】
さらに、異常判定結果１０を複数の表示形態のいずれかにおいて表示させることは必ずしも必要ではないし、また、異常判定装置７における異常判定はプロセス量２０および入力状態の異常判定に限られず、入力点データ９における所定期間のプロセス量２０をデータ蓄積装置２から読み出すことによってプロセス量２０の傾向判定を行い、これを各表示用データ取得装置に取得させ、表示装置５に表示させることも可能である。
【００６４】
また、表示用データベース３は、表示要素１６の変更があったときにこれを書き換えることができるが、表示要素１６に変更がなく、さらに表示要素１６の数および種類が少ないときなどは、表示要素１６を表示装置５に記憶させることにより、表示要素データベース３を省く構成とすることも可能である。
【００６５】
さらに、表示装置５は、１つのディスプレイまたはプロジェクタに表示するものに限られず、これらを複数組み合わせたものでもよいし、ヒストリカル表示３３などをログデータとして保存する必要があるときは、プリンターを用いた印字装置が表示装置５の構成に変わるもの、または追加するものとする。
【００６６】
また、常に３つの表示形態を全て表示するとき、または３つの表示形態を所定の時間幅をもって順に表示するときなどは、表示形態指定部６の構成を省く構成とし、常に３つの表示用データ取得装置に表示用データを取得させてもよい。
【００６７】
さらに、表示装置５において、表示要素データベース３内に各表示形態のフォーマットに係る情報を記憶させ、これを各表示用データ取得装置に取得させてもよい。例えば、トレンド表示３１におけるグラフの最大値および最小値、ならびに目盛幅などを表示要素データベース３に記憶させ、これをトレンドデータ取得手段１１にトレンドデータ２１として取得させることによってより柔軟なグラフ表示が可能となる。
【００６８】
また、現場センサ１４が、プロセス量２０とともにプロセス量２０を測定した時刻をプラント監視装置１に送信することができるときなどは、データ蓄積装置２において、プロセス量２０を現場センサ１４がプロセス量２０を測定した時刻を行としてマトリクス状に入力点データ９として蓄積してもよい。このとき、表示装置５は、各表示形態において、データ蓄積装置２がプロセス量２０を蓄積した時刻に変えて、プロセス量２０の測定時刻を表示させることができる。さらに、タイマー８は、所定の測定時刻におけるプロセス量２０を入力点データ９として蓄積させるように入力点データ蓄積要求１７の送信タイミングを定め、これをデータ蓄積装置２に送信し、所定の現場センサ１４がプロセス量２０を測定した時刻におけるプロセス量２０を蓄積させてもよい。
【００６９】
さらに、上述した実施形態においては、データ蓄積装置２において現場センサ１４から受信したプロセス量２０を数値化して入力点データ９として蓄積する場合を説明したが、プロセス量２０をビットデータとしてデータ蓄積装置２に蓄積させてもよい。このとき、各表示用データ取得装置は、入力点データ９におけるプロセス量２０をビットデータとして取得し、このビットデータを表示装置５において数値変換して表示形態に応じた表示を行うものとする。
【符号の説明】
【００７０】
１・・・プラント監視装置
２・・・データ蓄積装置
３・・・表示要素データベース
４・・・表示用データ取得部
５・・・表示装置
６・・・表示形態指定部
７・・・異常判定装置
８・・・タイマー
９・・・入力点データ
１０・・・異常判定結果
１１・・・トレンドデータ取得装置
１２・・・スナップショットデータ取得装置
１３・・・ヒストリカルデータ取得装置
１４・・・現場センサ
１５・・・警報装置
１６・・・表示要素
１７・・・入力点データ蓄積要求
１８・・・異常判定結果蓄積要求
２０・・・プロセス量
２１・・・トレンドデータ
２２・・・スナップショットデータ
２３・・・ヒストリカルデータ
２４・・・表示形態指定信号
２５・・・プロセス量判定結果
２６・・・入力状態判定結果
３１・・・トレンド表示
３２・・・スナップショット表示
３３・・・ヒストリカル表示
３４・・・表示範囲指定部
３５・・・表示範囲指定信号
３６・・・外部記憶装置
４０・・・警報要求信号 
【図１】
2012098836.tif 000003
【図２】
2012098836.tif 000004
【図３】
2012098836.tif 000005
【図４】
2012098836.tif 000006
【図５】
2012098836.tif 000007
【図６】
2012098836.tif 000008
【図７】
2012098836.tif 000009
【図８】
2012098836.tif 000010
【図９】
2012098836.tif 000011